(57)【要約】【課題】鋼管鉄塔の内面に生じた腐食箇所を極めて簡単な方法で、補修する方法及び当該方法に使用する装置を提供する。【解決手段】鋼管鉄塔の内面の腐食箇所Ｂを補修する方法において、略短円柱状の補修機Ａの外周に、中空膨張部材２を巻き付け、この中空膨張部材２の外周にエポキシ樹脂を含浸させた補修材４を巻き付け、鉄塔の上部から前記補修機Ａを鋼管内部に吊り下げ、前記腐食箇所Ｃの位置で前記補修機Ａを止め、前記中空膨張部材２内に外部から空気を送り込み、当該中空膨張部材２を前記補修機Ａの中心軸の半径方向に膨らませて空気の圧力で前記補修材４を鋼管部材Ｂの内面に押し付けて固定し、当該補修材４で前記腐食箇所Ｂを被覆する。【選択図】        図１
2011196040.tif 000002
【特許請求の範囲】
【請求項１】
鋼管鉄塔の内面腐食箇所を補修する方法において、
略短円柱状の補修機の外周に、中空膨張部材を巻き付け、この中空膨張部材の外周にエポキシ樹脂を含浸させた補修材を巻き付け、
鉄塔の上部から前記補修機を鋼管内部に吊り下げ、前記腐食箇所の位置で前記補修機を止め、前記中空膨張部材内に外部から空気を送り込み、当該中空膨張部材を前記補修機の中心軸の半径方向に膨らませて空気の圧力で前記補修材を鋼管内面に押し付けて固定し、当該補修材で前記腐食箇所を被覆することを特徴とする、補修方法。
【請求項２】
略短円柱状の補修機の外周に、空気の注入により補修機の中心軸の半径方向に膨出する中空膨張部材を巻き付け、この中空膨張部材の外周にエポキシ樹脂を含浸させた補修材を巻き付け、前記補修材の上下端縁を粘着テープで中空膨張部材の外周に固定したことを特徴とする、請求項１の方法に使用する補修機。
【発明の詳細な説明】
【技術分野】
【０００１】
この発明は、鋼管鉄塔部材の内面の腐食箇所を簡単な方法で補修する方法及びこの方法に使用する装置に関するものである。
【背景技術】
【０００２】
従来、鋼管鉄塔部材の内面が腐食した場合、当該部材を取り替えるか、特許文献１のように腐食箇所を塗装する方法がある。
【０００３】
【特許文献１】特開２００４−１１０１３号公報
【発明の開示】
【発明が解決しようとする課題】
【０００４】
しかしながら、部材の取り替えにおいては、当該部材への応力が想定を超えて作用している場合があり、この場合には当該部材の取り替えは困難である。また、前記特許文献１に示すような鋼管内面塗装においては、塗装前に腐食箇所のさび落とし等の素地調整を行う必要があり、この素地調整が不十分な場合、塗装箇所が剥がれる等早期の塗装劣化を招く。また、工場での施工方法に基づき現場で実施していることから、素地調整、塗装における品質管理に不安がある。
【０００５】
この発明は、これらの従来技術を考慮し、鋼管鉄塔の内面に生じた腐食箇所を極めて簡単な方法で、補修する方法及び当該方法に使用する装置を提供するものである。
【課題を解決するための手段】
【０００６】
請求項１の発明は、鋼管鉄塔の内面腐食箇所を補修する方法において、略短円柱状の補修機の外周に、中空膨張部材を巻き付け、この中空膨張部材の外周にエポキシ樹脂を含浸させた補修材を巻き付け、鉄塔の上部から前記補修機を鋼管内部に吊り下げ、前記腐食箇所の位置で前記補修機を止め、前記中空膨張部材内に外部から空気を送り込み、当該中空膨張部材を前記補修機の中心軸の半径方向に膨らませて空気の圧力で前記補修材を鋼管内面に押し付けて固定し、当該補修材で前記腐食箇所を被覆する、補修方法とした。
【０００７】
また、請求項２の発明は、請求項１に使用する装置の発明であって、略短円柱状の補修機の外周に、空気の注入により補修機の半径方向に膨出する中空膨張部材を巻き付け、この中空膨張部材の外周にエポキシ樹脂を含浸させた補修材を巻き付け、前記補修材の上下端縁を粘着テープで中空膨張部材の外周に固定した、補修機とした。
【発明の効果】
【０００８】
請求項１の発明によれば、従来、取り替え困難な鋼管部材の内面腐食にも補修が可能となる。また、内面塗装のようなケレンを必要とせず、作業が簡単で、かつ補修の品質が確保される。
【０００９】
また、請求項２の発明によれば、補修機が鉄塔の上部から鋼管内面に吊下げられるが、補修材はその上下で中空膨張部材の外周に固定されているので、作業中ずれ落ちたりせず、補修材で腐食箇所を的確に被って、補修することができる。
【発明を実施するための最良の形態】
【００１０】
この発明は、鋼管鉄塔の内面腐食箇所を補修する方法において、略短円柱状の補修機の外周に、中空膨張部材を巻き付け、この中空膨張部材の外周にエポキシ樹脂を含浸させた補修材を巻き付け、鉄塔の上部から前記補修機を鋼管内部に吊り下げ、前記腐食箇所の位置で前記補修機を止め、前記中空膨張部材内に外部から空気を送り込み、当該中空膨張部材を前記補修機の中心軸の半径方向に膨らませて空気の圧力で前記補修材を鋼管内面に押し付けて固定し、当該補修材で前記腐食箇所を被覆する、補修方法である。
【実施例１】
【００１１】
以下、この発明の実施例１を図に基づいて説明する。
図１は、この発明の補修方法を示す断面側図である。図２はこの発明の補修方法による補修途中の断面平面図である。図３はこの発明の補修方法による補修後の断面側面図。
【００１２】
まず、この発明に使用する補修機Ａについて説明する。補修機Ａは、図１に示すように、略短円柱状の補修機本体１の外周に、ゴム状の中空膨張部材２を巻き付けている。この中空膨張部材２は、外部からの空気の注入により、前記補修機本体１の中心軸の半径方向に膨出する。この中空膨張部材２の外周に、エポキシ樹脂を含浸させた補修材４を巻き付けている。また、前記エポキシ樹脂を含浸させた補修材４の上下端縁は、粘着テープ３で中空膨張部材２の外周に固定されている。
【００１３】
鋼管鉄塔の鋼管部材Ｂの内部にカメラ等を入れて、腐食箇所Ｃが見つかった場合、当該腐食箇所Ｃの位置を特定する。そして、前記補修機Ａを、内面に腐食を有する鋼管鉄塔の鋼管部材Ｂの上部から、ロープ５により、前記特定された腐食箇所Ｃまで吊り下げ、図１に示すように、腐食箇所Ｃに前記補修材４を対向させる。
【００１４】
その後、前記ロープ５に沿わせたパイプ（図示省略）により、前記中空膨張部材２内に、外部から空気を注入する。これにより、図２に示すように、中空膨張部材２は膨らみ、その外周の補修材４が、鋼管部材Ｂの内面に押し付けられる。この状態を一定時間保持すると、補修材４は鋼管部材Ｂの内面に付着、固定する。その後、前記中空膨張部材２内の空気を抜き、中空膨張部材２をすぼませ、鋼管部材Ｂ内から補修機Ａを吊り上げて抜く。
【００１５】
これにより、図３に示すように、鋼管部材Ｂの内面の腐食箇所Ｃ及びその周囲を補修部材４が被い、固定される。この補修材４は、腐食箇所Ｃの周りをも覆って鋼管部材Ｂの内面に固定されるため、固着力が強く、時間がたつと剥がれるといった恐れはない。
【００１６】
なお、補修機Ａの構成は、前記実施例の補修機Ａに限らず、補修機Ａの上下端部に、鋼管部材Ｂの内面壁に拡開する支持脚を設け、補修個所の上方及び下方で、これらの脚を開き、補修機Ａを鋼管部材Ｂ内で固定した状態で、中空膨張部材２を膨らませ、補修材４を内面に圧着させても良い。
【図面の簡単な説明】
【００１７】
【図１】この発明の実施例１の補修方法を示す断面側面図である。
【図２】この発明の実施例１の補修方法による補修途中の断面平面図ある。
【図３】この発明の実施例１の補修方法による補修後の断面側面図。
【符号の説明】
【００１８】
Ａ      補修機                    Ｂ      鋼管部材
Ｃ      腐食箇所
１      補修機本体                ２      中空膨張部材
３      粘着テープ                ４      補修材
５      ロープ                                
【図１】
2011196040.tif 000003
【図２】
2011196040.tif 000004
【図３】
2011196040.tif 000005